(57)【要約】【課題】ステープリング及び二つ折り処理を行う綴じ処理装置の小型化を図る。【解決手段】電動ステープラ７，　８．と一対のピンチローラ１０とを一つのフレーム６に搭載して１ユニット４とする。ユニット４は、ステープラのドライバがプッシュブレード１１へ対向する位置と一対のピンチローラ１０がプッシュブレードへ対向する位置とへ移動される。電動ステープラが紙Ｐの左右中心線上にステープルを打った後にユニット４が移動し、ピンチローラがステープリング箇所へ対向する。プッシュブレードが紙をピンチローラの間へ挿入し、二つ折り処理が行われる。対向配置したピンチローラとプッシュブレードとの間へステープラが進出してステープルを打つ構成の従来型よりもピンチローラとプッシュブレードの配置間隔を狭めることができ、装置の小型化が可能となる。【選択図】　図１
2004018172.tif 000002
【特許請求の範囲】
【請求項１】
紙トレイと、紙トレイを挟んでドライバとクリンチャとを対向配置した電動ステープラと、紙トレイを挟んで一対のピンチローラとプッシュブレードとを対向配置した紙折り機構とを備え、電動ステープラにより紙トレイ上の紙の左右中心線上を綴じ、直進駆動されるプッシュブレードが紙のステープリング箇所を一対のピンチローラ間へ挿入し、回転する一対のピンチローラにより紙を二つ折りする綴じ処理装置において、
電動ステープラと紙折り機構の一対のピンチローラとを一つのフレームに搭載して１ユニットとし、電動ステープラのドライバが紙折り機構のプッシュブレードへ対向する位置と一対のピンチローラの接線が前記プッシュブレードへ対向する位置とへ前記ユニットを移動する駆動手段を設け、電動ステープラが前記プッシュブレードに対向する位置で紙をステープリングした後に電動ステープラをプッシュブレードの経路から退避させ、続いて前記プッシュブレードが起動して紙のステープリング箇所を一対のピンチローラ間へ挿入するように構成した綴じ処理装置。
【請求項２】
キー操作に応じて電動ステープラと紙折り機構の双方またはいずれか一方のみを択一的に動作させる制御手段を設けた請求項１記載の綴じ処理装置。
【請求項３】
上記ピンチローラの下方に落下した冊子を収容する冊子収容室を設けた請求項１記載の綴じ処理装置。
【請求項４】
上記電動ステープラの近傍に、紙テーブル上へ突出及び退避させることができる紙揃えストッパーを設け、紙の縁部を綴じる処理を行えるようにした請求項１記載の綴じ処理装置。
【発明の詳細な説明】
【０００１】
【発明の属する技術分野】
この発明は、書類の中央をステープルにて綴じ、さらに二つ折りして製本する綴じ処理装置に関するものであり、特に、機構部の小型化を図った綴じ処理装置に関するものである。
【０００２】
【従来の技術】
複数枚の紙の左右中心線上にステープルを打って綴じ、ピンチローラを用いた紙折り機構により紙を二つ折りにしてブックレットの形態に成形する綴じ処理装置が知られており、此の種の綴じ処理装置を備えた複合型複写機も市場に提供されている。
【０００３】
上記の綴じ処理装置は、電動式のステープラと、一対のピンチローラおよびプッシュブレードからなる紙折り機構と、スタックトレイとを備えており、複写機構部から排出される紙を受けるスタックトレイは、紙の自重により自動的に紙端を揃えるために傾斜しており、下端部に昇降式の紙揃えストッパーが配置されている。スタックトレイの上下中間部位には複数の分離型ステープラが水平に並列配置されていて、紙の表面側にあるクリンチャユニットと紙の背面側にあるドライバユニットとが紙を挟んで対向している。ステープラの上方には紙折り機構が配置されており、紙の表面側にあるプッシュブレードが紙の裏面側にある一対のピンチローラの中間位置に対向している。昇降式の紙揃えストッパーは、綴じ処理装置の制御部により紙のサイズに応じて上下位置を制御され、紙が複写機構部からスタックトレイへ落下して紙揃えストッパーに当たって停止したときに、紙の前後中間点がステープラのドライバ位置と一致する。１セットの紙がスタックトレイに送られると、ステープラが起動して紙の前後中間点の複数箇所にステープルを打ち込んで綴じ、その後に紙揃えストッパーが上昇駆動されて紙を押上げる。制御部により紙揃えストッパーの上昇量は、ステープラのドライバならびにクリンチャと紙折り機構のプッシュブレードとの変位量と等しく制御され、紙揃えストッパーが停止したときにプッシュブレードの先端がステープルの打ち込み位置と等しく紙の中心線に対向する。そして、ソレノイドあるいは直動カム機構などによりプッシュブレードが紙の方向へ駆動されて紙の綴じ箇所を一対のピンチローラの間へ押し込み、ピンチローラが回転駆動されて紙を折りたたみながら引き込み、反対側へ排出する。このようにして複写した書類などが中綴じ及び二つ折りされて中綴じ書類として仕上げられる。
【０００４】
以上が、従来の綴じ処理装置の構成であるが、この綴じ処理装置においてはステープル処理後に紙揃えストッパーが上昇する際に、紙が自重やスタックトレイとの摩擦等により反ったり傾いたりすることがあり、このような事態が生じると紙のステープル打ち込み位置がプッシュブレードの位置と一致せず、綴じ位置と折り曲げ線の位置とがずれてしまうことが問題になっている。
【０００５】
そこで、本願出願人は上記の不都合を解消するために、ステープル処理後に紙を移動せず、ステープラを移動する構成とした綴じ処理装置を既に提案している。この綴じ処理装置は、ステープラが紙折り機構のピンチローラとプッシュブレードとの間で紙にステープルを打った後に、ステープラがピンチローラとプッシュブレードとの間から退避し、続いて紙折り機構を駆動してステープル打込み位置で紙を二つ折りにする。したがって、紙が位置ずれを起こすことがなく、綴じ位置と折り曲げ線位置との位置合わせの精度はステープラの位置決め精度のみに依存することになり、仕上がり不良の発生は殆どなくなる。
【０００６】
【発明が解決しようとする課題】
本願出願人が提案した綴じ処理装置は、綴じ及び紙折り処理の際に紙を移動せずステープラを移動する構成とすることで仕上がり精度の向上並びに安定化が達成されたが、ステープラが紙折り機構のピンチローラとプッシュブレードとの間に進出した位置で紙にステープルを打つので、ピンチローラとプッシュブレードをステープラの厚さ以上の間隔をあけて配置しなければならず、装置寸法が大型化するという問題がある。そこで、綴じ処理装置を小型化するために解決すべき技術的課題が生じてくるのであり、本発明は上記課題を解決することを目的とする。
【０００７】
【課題を解決するための手段】
この発明は、上記目的を達成するために提案するものであり、紙トレイと、紙トレイを挟んでドライバとクリンチャとを対向配置した電動ステープラと、紙トレイを挟んで一対のピンチローラとプッシュブレードとを対向配置した紙折り機構とを備え、電動ステープラにより紙トレイ上の紙の左右中心線上を綴じ、直進駆動されるプッシュブレードが紙のステープリング箇所を一対のピンチローラ間へ挿入し、回転する一対のピンチローラにより紙を二つ折りする綴じ処理装置において、電動ステープラと紙折り機構の一対のピンチローラとを一つのフレームに搭載して１ユニットとし、電動ステープラのドライバが紙折り機構のプッシュブレードへ対向する位置と一対のピンチローラの接線が前記プッシュブレードへ対向する位置とへ前記ユニットを移動する駆動手段を設け、電動ステープラが前記プッシュブレードに対向する位置で紙をステープリングした後に電動ステープラをプッシュブレードの経路から退避させ、続いて前記プッシュブレードが起動して紙のステープリング箇所を一対のピンチローラ間へ挿入するように構成した綴じ処理装置を提供するものである。
【０００８】
また、キー操作に応じて電動ステープラと紙折り機構の双方またはいずれか一方のみを択一的に動作させる制御手段を設けた上記綴じ処理装置、ならびに上記ピンチローラの下方に落下した冊子を収容する冊子収容室を設けた綴じ処理装置、ならびに上記電動ステープラの近傍に、紙テーブル上へ突出及び退避させることができる紙揃えストッパーを設け、紙の縁部を綴じる処理を行えるようにした綴じ処理装置を提供するものである。
【０００９】
【発明の実施の形態】
以下、この発明の実施の一形態を図に従って詳述する。図１は綴じ処理装置１を示し、２はメインフレーム、３は紙テーブルであり、４はドライバ／ピンチローラユニットである。ドライバ／ピンチローラユニット４は、メインフレーム２に設けた左右方向の水平ガイドレール（図示せず）に係合しており、メインフレーム２の右側に配置した円板溝カム機構５により、図１に示す左待機位置と図３に示す右退避位置とを往復移動する。
【００１０】
ドライバ／ピンチローラユニット４のフレーム６の右側には電動ステープラのドライバユニット７が取付けられており、ドライバユニット７の先端部にあるドライバ（図示せず）の上方にクリンチャ８が配置されている。ドライバユニット７とクリンチャ８との間には水平な紙ガイド９が設けられていて、左待機位置にあるときは、紙Ｐを落下させるために紙テーブル３に形成されている穴を紙ガイド９が下面側から遮蔽している。尚、図示は省略するが、フレーム６はドライバユニット７とクリンチャ８との間へ紙を挿入できるように通路が形成されており、紙ガイド９にはドライバを上方へ通過させるための小穴が形成されている。
【００１１】
フレーム６の左側には一対のピンチローラ１０が取付けられていて、一方のピンチローラがモータにより回転駆動され、二つのピンチローラ１０が連動して回転する。フレーム６の左右中央上部には、紙をピンチローラ１０へ向けて押し出すためのプッシュブレード１１が配置されており、プッシュブレード１１とピンチローラ１０とによって紙折り機構を構成している。プッシュブレード１１は、図１に示す待機状態においてクリンチャ８の直上に位置しており、図３に示すドライバ／ピンチローラユニット４が右へ退避した状態では、一対のピンチローラ１０の接線がプッシュブレード１１の直下に位置する。紙テーブル３の左部分には左右へスライド可能な紙揃えストッパー１２が設けられていて、紙揃えストッパー１２は、例えばＡ４位置とＡ３位置とでクリック機構により位置決めされ、紙テーブル上にセットしたＡ４サイズの紙またはＡ３サイズの紙Ｐの左右中央がクリンチャ８及びプッシュブレード１１の直下に位置決めされるように形成されている。ドライバ／ピンチローラユニット４の下方には、綴じ及び二つ折り処理した冊子が落下して収容される冊子収容室１３が設けられている。
【００１２】
次に、綴じ処理装置１の動作を説明する。先ず紙のサイズに合わせて紙揃えストッパー１２の位置を決め、紙テーブル３上へ図において右から紙Ｐを送り込み、紙Ｐの左端を紙揃えストッパー１２へ押し当て位置決めする。続いて、綴じ処理装置１の起動スイッチをオンすると、図２に示すようにドライバユニット７が綴じ動作を開始してドライバがステープルを上方へ射出し、紙の左右中央を貫通したステープルはクリンチャ８へ当たって折り曲がり、紙Ｐが綴じられる。
【００１３】
そして、ドライバユニット７が初期状態に戻り、円板溝カム機構５が起動して図３に示すようにドライバ／ピンチローラユニット４を右退避位置へ移動させる。ドライバ／ピンチローラユニット４が右移動することにより、紙ガイド９が前述した紙テーブル中央の穴１４の位置から退避して穴１４が開放され、紙折り機構のプッシュブレード１１が下降駆動されて、紙Ｐの中間部を一対のピンチローラ１０の間へ押し込む。一対のピンチローラ１０は紙Ｐを折りたたみつつ引込み下方へ排出し、排出された紙は冊子収納室１３へ落下するとともにプッシュブレード１１は下降位置から上方待機位置へ上昇し、ピンチローラ１０が回転を停止した後にドライバ／ピンチローラユニット４が左待機位置へ戻って１サイクルの動作を終了する。
【００１４】
尚、電動ドライバの動作と、紙折り機構の動作を任意に選択できるようにスイッチ回路を構成することにより、ステープル処理のみ、あるいは二つ折り処理のみを行うことができる。また、図４に示すように、ドライバ／ピンチローラユニット４にソレノイド等により上下動する紙揃えストッパー１５を設け、スイッチ操作により紙揃えストッパー１５が上昇して紙テーブル上へ突出するように構成すれば、紙の中央を綴じる処理に加えて縁部を綴じる処理も任意に行える。
【００１５】
以上、独立型手動操作式綴じ処理装置の構成を説明したが、複写機あるいはプリンタ等の機器と複合して印刷と綴じ処理とが連係して動作するように構成することが可能であることは言うまでもない。また、紙を紙テーブルへ押さえつけるかあるいは紙の両面を挟むクランプ装置を設けて紙の位置ずれを防止したり、綴じ及び二つ折り処理された紙を側方へ送り出す紙送り機構を設けたりしてもよい。また、紙揃えストッパーについては、紙サイズの設定に応じてストッパー送り機構により用紙サイズに適合する位置へ自動的に移動するように制御してもよい。また、綴じ処理装置の設置姿勢は水平に限らず傾斜姿勢でもよく、電動ステープラのドライバユニット７とクリンチャ８並びに紙折り機構のピンチローラ１０とプッシュブレード１１の配置を天地逆転し、紙を上方へ排出するようにしてもよい。また、図１に示すように、紙テーブル３の紙揃えストッパー１２を取り付けた部分を跳ね上げ式に形成することで、未使用時には鎖線で示すように紙揃えストッパー部分を垂直に跳ね上げて占有スペースを小さくすることもできる。
【００１６】
尚、この発明は上記の実施形態に限定するものではなく、この発明の技術的範囲内において種々の改変が可能であり、この発明がそれらの改変されたものに及ぶことは当然である。
【００１７】
【発明の効果】
以上説明したように、本発明の綴じ処理装置は、電動ステープラと紙折り機構の一対のピンチローラとを一つのフレームに搭載して１ユニットとし、電動ステープラのドライバが紙折り機構のプッシュブレードへ対向する位置でステープルを打ち、続いて一対のピンチローラの接線がプッシュブレードへ対向する位置へユニットを移動して紙折り処理を行うように構成したので、紙折り機構のピンチローラとプッシュブレードとを広い間隔をあけて配置し、その間へ電動ステープラが進出してステープルを打つ構成の従来型綴じ処理装置よりもピンチローラとプッシュブレードの配置間隔を狭めることができ、装置を小型化することができる。
【図面の簡単な説明】
【図１】本発明の実施の一形態を示し、綴じ処理装置の側面図。
【図２】図１の綴じ処理装置の動作行程を示す側面図。
【図３】図１の綴じ処理装置の動作行程を示す側面図。
【図４】綴じ処理装置の他の実施形態を示す側面図。
【符号の説明】
１　　　　　　綴じ処理装置
２　　　　　　メインフレーム
３　　　　　　紙テーブル
４　　　　　　ドライバ／ピンチローラユニット
５　　　　　　円板溝カム機構
６　　　　　　フレーム
７　　　　　　ドライバユニット
８　　　　　　クリンチャ
９　　　　　　紙ガイド
１０　　　　　　ピンチローラ
１１　　　　　　プッシュブレード
１２　　　　　　紙揃えストッパー
１３　　　　　　冊子収容室
１４　　　　　　穴（紙テーブル）
１５　　　　　　紙揃えストッパー
【図１】
2004018172.tif 000003
【図２】
2004018172.tif 000004
【図３】
2004018172.tif 000005
【図４】
2004018172.tif 000006